(57)【要約】      （修正有）【課題】湯水混合水栓内での湯水混合バルブ装置のケーシングの傾きによる異音の発生を抑制できる湯水混合バルブ装置を提供する。【解決手段】湯水混合バルブ装置は、湯流入弁孔、水流入弁孔、混合水流出孔が形成された固定弁体と、湯流入弁孔と水流入弁孔との少なくとも一方を混合水流出孔と連通させる可動弁体と、可動弁体を操作するレバーと、湯流入弁孔、水流入弁孔、混合水流出孔のそれぞれに対応する湯側開口１４ｂ、水側開口１４ｃ、流出開口１４ｄと、流出開口から下流側に湯水を導く流出流路１４ｅと、が形成された底面１４ａを有するケーシング１４と、湯側開口及び水側開口の周囲を覆う面シール部材４２と、ケーシング１４の底面において、流出流路の外側に配置される反力部材４４と、を備える。【選択図】図５
2020051549.tif 000002
【特許請求の範囲】
【請求項１】
湯水混合水栓に組み込まれ、給湯源から供給される湯と給水源から供給される水とを混合した湯水を吐止水する湯水混合バルブ装置であって、
湯流入弁孔、水流入弁孔、混合水流出孔が形成された固定弁体と、
前記湯流入弁孔と水流入弁孔との少なくとも一方を混合水流出孔と連通させる可動弁体と、
前記可動弁体を操作するレバーと、
前記湯流入弁孔、水流入弁孔、混合水流出孔のそれぞれに対応する湯側開口、水側開口、流出開口と、前記流出開口から下流側に湯水を導く流出流路と、が形成された底面を有するケーシングと、
前記湯側開口及び水側開口の周囲を覆う面シール部材と、
前記ケーシングの底面において、前記流出流路の外側に配置される反力部材と、を備える
ことを特徴とする湯水混合バルブ装置。
【請求項２】
前記反力部材は、前記流出流路の両方の外側に配置されることを特徴とする請求項１記載の湯水混合バルブ装置。
【請求項３】
前記面シール部材と前記反力部材とを接続する接続部材と、をさらに備え、
前記面シール部材と、前記反力部材と、前記接続部材とは、一体で形成されることを特徴とする請求項２記載の湯水混合バルブ装置。
【請求項４】
前記接続部材の幅は、前記反力部材の幅より狭いことを特徴とする請求項３記載の湯水混合バルブ装置。
【発明の詳細な説明】
【技術分野】
【０００１】
本発明の態様は、一般的に、湯水混合バルブ装置に係り、特に、湯水混合水栓に組み込まれるシングルレバーカートリッジタイプの湯水混合バルブ装置に関する。
【背景技術】
【０００２】
従来、湯水混合水栓に組み込まれるシングルレバーカートリッジタイプの湯水混合バルブ装置として、混合された湯水が固定弁体を通じて、湯水混合バルブ装置の下方に混合水を吐水する所謂クローズドタイプの湯水混合バルブ装置が知られている。
このタイプの湯水混合バルブ装置では、ケーシングの底面において、湯側開口、水側開口及び流出開口が面シール部材にて面シールされており、湯水はケーシング底面の下方側に流れる。
【先行技術文献】
【特許文献】
【０００３】
【特許文献１】特開２０１７−１６１０７７号公報
【発明の概要】
【発明が解決しようとする課題】
【０００４】
このようなクローズドタイプの湯水混合バルブ装置において、湯水をケーシングの底面の側方側に流すサイドオープン構造を実施しようとした場合、流出口側の面シール部材を取り除く必要がある。
しかしながら、上述した構造では、湯側開口及び水側開口のみに面シール部材が配置されることとなるため、ケーシングの底面にかかる面シール部材からの反力が偏り、湯水混合バルブ装置のケーシングが湯水混合水栓内で傾き、面シールが機能せず、異音が発生するという問題があった。
この問題を解決するために、流出流路の中央にケーシングの傾き抑制のための反力部材を配置することが考えられる。
しかし、流出流路内に反力部材を配置した場合、反力部材が流出する水の抵抗となるため、反力部材をあまり大きくすることができず、ケーシングの傾き抑制に効果的でなかった。
【０００５】
本発明は、かかる課題の認識に基づいてなされたものであり、湯水混合水栓内でのケーシングの傾きによる異音の発生を抑制できる湯水混合バルブ装置を提供することを目的とする。
【課題を解決するための手段】
【０００６】
湯水混合水栓に組み込まれ、給湯源から供給される湯と給水源から供給される水とを混合した湯水を吐止水する湯水混合バルブ装置であって、湯流入弁孔、水流入弁孔、混合水流出孔が形成された固定弁体と、前記湯流入弁孔と水流入弁孔との少なくとも一方を混合水流出孔と連通させる可動弁体と、前記可動弁体を操作するレバーと、前記湯流入弁孔、水流入弁孔、混合水流出孔のそれぞれに対応する湯側開口、水側開口、流出開口と、前記流出開口から下流側に湯水を導く流出流路と、が形成された底面を有するケーシングと、前記湯側開口及び水側開口の周囲を覆う面シール部材と、前記ケーシングの底面において、前記流出流路の外側に配置される反力部材と、を備えることを特徴とする湯水混合バルブ装置である。
この湯水混合バルブ装置によれば、流出流路内に反力部材を配置する場合と比較して、反力部材を大きくすることができる。そのため、ケーシングの底面において、面シール部材からの反力と、反力部材からの反力とを均衡状態に近づけ、湯水混合水栓内でのケーシングの傾きを抑制でき、湯水混合水栓内での湯水混合バルブ装置のケーシングの傾きによる異音の発生を抑制できる。
【０００７】
第２の発明は、第１の発明において、前記反力部材は、前記流出流路の両方の外側に配置されることを特徴とする湯水混合バルブ装置である。
この湯水混合バルブ装置によれば、流出流路の外側に１つの反力部材を配置する場合と比べて、湯水混合水栓内での湯水混合バルブ装置のケーシングの傾きをより抑制できる。
【０００８】
第３の発明は、第２の発明において、前記面シール部材と前記反力部材とを接続する接続部材と、をさらに備え、前記面シール部材と、前記反力部材と、前記接続部材とは、一体で形成されることを特徴とする湯水混合バルブ装置である。
この湯水混合バルブ装置によれば、面シール部材と反力部材を別体で形成する場合と比べて、部材の数を減らすことができ、組み立て性を低下させることなく、湯水混合水栓内での湯水混合バルブ装置のケーシングの傾きによる異音の発生を抑制できる。
【０００９】
第４の発明は、第３の発明において、前記接続部材の幅は、前記反力部材の幅より狭いことを特徴とする湯水混合バルブ装置である。
この湯水混合バルブ装置によれば、接続部材をできるだけ幅狭にすることで、例えば、バルブ支持部材と当接する突起等のように、ケーシングの底面に形成されるその他機能部に対して接続部材が邪魔になることを抑制することができる。
【発明の効果】
【００１０】
本発明の態様によれば、湯水混合水栓内での湯水混合バルブ装置のケーシングの傾きによる異音の発生を抑制できる湯水混合バルブ装置が提供される。
【図面の簡単な説明】
【００１１】
【図１】本発明の実施形態における湯水混合バルブ装置が組み込まれた湯水混合水栓の外観斜視図である。
【図２】本発明の実施形態における湯水混合バルブ装置が組み込まれた湯水混合水栓の断面図である。
【図３】本発明の実施形態における湯水混合バルブ装置の外観斜視図である。
【図４】本発明の実施形態における湯水混合バルブ装置の分解斜視図である。
【図５】本発明の実施形態における湯水混合バルブ装置の下面視における平面図である。
【発明を実施するための形態】
【００１２】
以下、添付図面を参照しながら本発明の実施の形態について説明を行う。
【００１３】
まず、図１、２を用いて本発明の実施形態における湯水混合バルブ装置１が組み込まれた湯水混合水栓１００の概略について説明する。
図１は、本発明の実施形態における湯水混合バルブ装置１が組み込まれた湯水混合水栓１００の外観斜視図である。図２は、本発明の実施形態における湯水混合バルブ装置１が組み込まれた湯水混合水栓１００の断面図である。
【００１４】
図１、２に示すように、湯水混合水栓１００は、湯水混合バルブ装置１と、図示されない設置面に固定され、湯水混合バルブ装置１が内部に組み込まれた本体部２と、先端に吐水口４ａが設けられた吐水部４と、本体部２の上端に設けられたレバーハンドル６と、本体部２の内部にて、湯水混合バルブ装置１が載置されるバルブ支持部材８と、を有する。
また、バルブ支持部材８には、給水源から湯水混合バルブ装置１の湯側開口１４ａ、水側開口１４ｂに湯水を供給する給水管８ａ及び給湯管８ｂが接続される。
【００１５】
湯水混合水栓１００は、湯水混合バルブ装置１により、レバーハンドル６を上下回動操作することで吐水部４の吐水口４ａからの湯水吐出量の調節を行うことができ、レバーハンドル６を左右回動操作することで吐水部４の吐水口４ａからの吐出する湯水の温度調節を行うことができる。
【００１６】
次に、本発明の実施形態における湯水混合バルブ装置１について説明を行う。
図３は、本発明の実施形態における湯水混合バルブ装置１の外観斜視図である。図４は、本発明の実施形態における湯水混合バルブ装置１の分解斜視図である。
【００１７】
本発明の実施形態における湯水混合バルブ装置１は、湯水混合水栓１００に組み込まれた状態で利用され、流入する湯・水の混合、吐水、止水を調整することが出来る、所謂シングルレバーカトリッジと呼ばれるバルブ装置である。
【００１８】
図３、４に示すように、湯水混合バルブ装置１は、ケーシング１０と、レバー部２０と、開閉機構３０と、シール部材４０と、を有する。
【００１９】
ケーシング１０は、上部ケーシング１２と、下部ケーシング１４と、を有し、上部ケーシング１２と下部ケーシング１４とに挟持される形で、レバー部２０と、開閉機構３０とが、ケーシング１０の内部で保持されている。
【００２０】
レバー部２０は、ケーシング１０の上部ケーシング１２から突出し、上述したレバーハンドル６と連結されるレバー２２と、レバー２２が挿入されるレバーガイド２４と、レバー２２をレバーガイド２４内にて傾動可能に保持するピン２６と、有する。
【００２１】
開閉機構３０は、湯流入弁孔３２ａ、水流入弁孔３２ｂ及び混合水流出孔３２ｃが左右対称に開設された固定弁体３２と、固定弁体３２上を水密に摺動するように配置され、湯流入弁孔３２ａと水流入弁孔３２ｂとの少なくとも一方を混合水流出孔３２ｃと連通させる可動弁体３４と、レバー２２の下端に連結され、レバー２２の傾動を可動弁体３４に伝達するバルブガイド３６と、ケーシング１０内の水密を保つパッキン３８ａ及びＯリング３８ｂと、を有する。
レバーハンドル６を上下回動操作、左右回動操作すると、開閉機構のレバーが前後傾動、左右回動し、バルブガイドを介して可動弁体３４が前後摺動、左右回動する。これにより、固定弁体３２の湯流入弁孔３２ａ、水流入弁孔３２ｂの開閉及び開度調節が行われ、混合水流出孔３２ｃから流出する湯・水の混合比や流入量が調整される。
【００２２】
シール部材４０は、ケーシング１０の底面に配置され、ケーシング１０の底面と、バルブ支持部材８の上面との間で挟持され、ケーシング１０の外部における水密を保持する。
【００２３】
次に、下部ケーシング１４と、シール部材４０について、図５を用いて説明を行う。図５は、本発明の実施形態における湯水混合バルブ装置１の下面視における平面図である。なお、図５は、シール部材４０がケーシング１０の底面１０ａに配置された状態である。
【００２４】
下部ケーシング１４は、バルブ支持部材８の上面（図示しない）と対向する底面１４ａを有する。
この下部ケーシング１４の底面１４ａには、上述した湯流入弁孔３２ａ、水流入弁孔３２ｂ、及び混合水流出孔３２ｃのそれぞれと対応する湯側開口１４ｂ、水側開口１４ｃ、流出開口１４ｄと、流出開口１４ｄから下流側に湯水を導く流出流路１４ｅと、が形成されている。
ここで、湯側開口１４ｂと水側開口１４ｃとは、下部ケーシング１４の底面１４ａにおいて軸対称に形成される。流出流路１４ｅは、流出開口１４ｄから下部ケーシング１４の底面１４ａの外周方向に延びるように形成されている。
また、下部ケーシング１４には、バルブ支持部材８と当接する突起１４ｆが形成されている。
なお、本発明の実施形態において、下部ケーシング１４の底面１４ａがケーシング１０の底面である。
【００２５】
シール部材４０は、下部ケーシング１４の底面１４ａに配置された状態において、湯側開口１４ｂ及び水側開口１４ｃの周囲をそれぞれ覆う面シール部４２（面シール部材）と、流出流路１４ｅの外側に配置される反力部４４（反力部材）と、面シール部４２と反力部４４とを接続する接続部４６（接続部材）と、を有する。
なお、本発明の実施形態において、面シール部４２と、反力部４４と、接続部４６が一体で形成されているが、接続部４６を設けず、面シール部４２と、反力部４４とを別部材にしてもよい。
【００２６】
面シール部４２は、下部ケーシング１４の底面１４ａに配置された状態において、下部ケーシング１４の底面１４ａの周方向に延びる外側面シール部４２ａと、下部ケーシング１４の底面１４ａに配置された状態において、その中心Ｃから下部ケーシング１４の底面１４ａの軸線方向に延び、その軸線方向の３つの端部が外側面シール部４２ａと接続される内側面シール部４２ｂと、から構成される。
【００２７】
反力部４４は、下部ケーシング１４の底面１４ａに配置される際に、流出流路１４ｅの一方側に配置される第１の反力部４４ａと、流出流路１４ｅの他方側に配置される第２の反力部４４ｂと、を有する。つまり、反力部４４は、流出流路１４ｅの両方の外側に配置されている。
反力部４４が流出流路１４ｅの外側に配置されることで、流出開口１４ｄから流出した湯水が、流出流路１４ｅを通り、下部ケーシング１４の底面１４ａの外周側（ケーシング１０の底面の側方側）へ流れるようになっている。
ここで、反力部４４の面積（第１の反力部４４ａと第２の反力部４４ｂの合計面積）は、外側面シール部４２ａの面積と同じである。なお、反力部４４と外側面シール部４２ａの面積は同じでなくてもよい。
また、反力部４４は、下部ケーシング１４の底面１４ａの最も外周側に配置されている。
【００２８】
接続部４６は、第１の接続部４６ａと、第２の接続部４６ｂとを有し、一端が第１の反力部４４ａ及び第２の反力部４４ｂのいずれかと接続され、他端が面シール部４２の内側面シール部４２ｂと接続されている。
第１の接続部４６ａの幅Ｈ１は、第１の反力部４４ａの幅Ｈ２よりも狭くなっている。同様に、第２の接続部４６ｂの幅Ｈ１は、第２の反力部４４ｂの幅Ｈ２よりも狭くなっている。つまり、接続部４６の幅Ｈ１は、反力部４４の幅Ｈ２よりも狭くなっている。
【００２９】
次に、本実施形態における作用を説明する。
本発明の実施形態においては、湯水混合バルブ装置１が、湯側開口１４ｂ及び水側開口１４ｃの周囲を覆う面シール部４２（面シール部材）と、流出流路１４ｅの外側に配置される反力部４４（反力部材）と、を備えている。
【００３０】
これにより、流出流路１４ｅ内に反力部材を配置する場合と比較して、反力部４４を大きくすることができる。そのため、下部ケーシング１４の底面１４ａにおいて、面シール部４２から下部ケーシング１４の底面１４ａが受ける反力と、反力部４４から下部ケーシング１４の底面１４ａが受ける反力とを均衡状態に近づけ、湯水混合水栓１００の本体部２内でのケーシング１０の傾きを抑制でき、湯水混合水栓１００の本体部２内での湯水混合バルブ装置１のケーシング１０の傾きによる異音の発生を抑制できる。
【００３１】
また、本発明の実施形態においては、反力部４４（第１の反力部４４ａと第２の反力部４４ｂ）は、流出流路１４ｅの両方の外側に配置されている。
【００３２】
これにより、流出流路１４ｅの外側に１つの反力部材を配置する場合と比べて、湯水混合水栓１００の本体部２内での湯水混合バルブ装置１のケーシング１０の傾きをより抑制できる。
【００３３】
また、本発明の実施形態においては、湯水混合バルブ装置１が、面シール部４２と反力部４４とを接続する接続部４６（接続部材）と、をさらに備え、面シール部４２と、反力部４４と、接続部４６は一体で形成されている。
【００３４】
これにより、面シール部４２と反力部４４を別体で形成する場合と比べて、部材の数を減らすことができ、組み立て性を低下させることなく、湯水混合水栓１００の本体部２内での湯水混合バルブ装置１のケーシング１０の傾きによる異音の発生を抑制できる。
【００３５】
また、本発明の実施形態においては、接続部４６の幅Ｈ１は、反力部４４の幅Ｈ２よりも狭くなっている。
【００３６】
これにより、接続部４６をできるだけ幅狭にすることで、例えば、例えば、バルブ支持部材８と当接する突起１４ｆ等のように下部ケーシング１４の底面１４ａに形成されるその他機能部に対して接続部４６が邪魔になることを抑制することができる。
【００３７】
また、本発明の実施形態においては、反力部４４の面積（第１の反力部４４ａと第２の反力部４４ｂの合計面積）は、外側面シール部４２ａの面積と同じである。
【００３８】
これにより、下部ケーシング１４の底面１４ａが面シール部４２及び反力部４４から受ける反力が同じになり、湯水混合水栓内でのケーシングの傾きをより抑制できる。
【００３９】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、湯水混合バルブ装置が備える各要素の形状、寸法、材質、配置などは、例示したものに限定されるわけではなく適宜変更することができる。
また、前述した実施形態が備える各要素は、技術的に可能な限りにおいて組み合わせることができ、これらを組み合わせたものも本発明の特徴を含む限り本発明の範囲に包含される。
【符号の説明】
【００４０】
湯水混合バルブ装置    １
本体部                ２
吐水部                ４
吐水口                ４ａ
レバーハンドル        ６
バルブ支持部材        ８
給水管                ８ａ
給湯管                ８ｂ
ケーシング            １０
上部ケーシング        １２
下部ケーシング        １４
底面                  １４ａ
湯側開口              １４ｂ
水側開口              １４ｃ
流出開口              １４ｄ
流出流路              １４ｅ
突起                  １４ｆ
レバー部              ２０
レバー                ２２
レバーガイド          ２４
ピン                  ２６
開閉機構              ３０
固定弁体              ３２
湯流入弁孔            ３２ａ
水流入弁孔            ３２ｂ
混合水流出孔          ３２ｃ
可動弁体              ３４
バルブガイド          ３６
パッキン              ３８ａ
Ｏリング              ３８ｂ
シール部材            ４０
面シール部            ４２
外側面シール部        ４２ａ
内側面シール部        ４２ｂ
反力部                ４４
第１の反力部          ４４ａ
第２の反力部          ４４ｂ
接続部                ４６
第１の接続部          ４６ａ
第２の接続部          ４６ｂ
湯水混合水栓          １００
【図１】
2020051549.tif 000003
【図２】
2020051549.tif 000004
【図３】
2020051549.tif 000005
【図４】
2020051549.tif 000006
【図５】
2020051549.tif 000007